(57)【要約】      （修正有）【課題】複雑化、大型化することなしに、昇降動に伴うバトンの移動が生じず、また、ワイヤーの外れ事故も無く、装置も小型化して低コストなバトンの昇降装置を提供する。【解決手段】バトンの昇降装置は、バトンに接続されたワイヤー２ａ、２ｂと、ワイヤーをバトン長さ方向内側に方向変換する滑車３ａ、３ｂと、水平かつバトンの長さ方向に垂直な回動軸を有し、２本の溝５ａ、５ｂの内部にワイヤーが接続されている駆動プーリー４と、駆動プーリーを正逆回転させるモーター６と、滑車、駆動プーリー及びモーターを固定して囲むケース８とからなる。【選択図】図３
0003224328.tif 000002
【実用新案登録請求の範囲】
【請求項１】
長尺状のバトンとこのバトンを昇降動させる昇降機構とからなるバトンの昇降装置において、
前記昇降機構はバトンの２箇所の接続部で一方端が接続された２本のワイヤーと、
バトンを吊り下げた状態の２本の垂直方向に延びる２本のワイヤーをバトン長さ方向内側に方向変換する２つの滑車と、
水平かつバトンの長さ方向に垂直な回動軸を有し、外周面に外周に沿った方向に設けられた２本の溝の内部に２本のワイヤーの他方端が接続されている駆動プーリーと、
この駆動プーリーを正逆回転を自在とするモーターと、
滑車、駆動プーリー及びモーターを固定して囲むケースとからなり、
駆動プーリーの正回転、逆回転により、溝からの２本のワイヤーの引き出し、巻き戻しがなされるようにしたことを特徴とするバトンの昇降装置。
【考案の詳細な説明】
【技術分野】
【０００１】
この考案は、会議室、宴会場、体育館、劇場等において、各種パネルやポスター或いは演出装置等の各種吊下物を昇降させるバトンの昇降装置に関し、更に詳しくは、コンパクトで、かつ底コストで製造できるバトンの昇降装置に関するものである。
【背景技術】
【０００２】
バトン装置は、各種吊下物を固定するため水平状態に維持された長尺のバトンと、バトンを設置すべき位置の天井等に固定されバトンを昇降させる昇降装置とからなり、バトンと昇降装置とはワイヤーやベルト等の紐状体で接続されて昇降装置の下にバトンを吊り下げるようにしておいて、昇降装置がこの紐状体を伸ばしたり縮めたりすることによりバトンの昇降動作をしていた。
【０００３】
紐状体によるバトンの昇降原理としては、例えば、直接ワイヤー等を引き上げたり伸ばしたりしてバトンを昇降動させるものがあり、ワイヤーの駆動手段としては、手動によりワイヤーを巻いたり戻したりして行うものや（例えば、特許文献１参照）、電動巻上機等の機械的手段を用いるものがある（例えば、特許文献２参照）。
【０００４】
また、昇降装置の回転体にプーリーを設け、このプーリーにベルトやワイヤー等の紐状体を巻回し、回転体を駆動モーター等にて正逆回転駆動することにより、プーリーに巻かれた紐状体を巻き上げたり戻したりしてバトンを昇降動させるものや（例えば、特許文献３参照）、バトンの昇降に、ワイヤー等の紐状体を用いずに、スクリーン生地等の布生地を用いるものもある（例えば、特許文献４参照）。
【先行技術文献】
【特許文献】
【０００５】
【特許文献１】特開平８−２４５１８５号公報（図１）
【特許文献２】実用新案登録第３０６４４８４号（図１）
【特許文献３】実用新案登録第３０３８９３４号公報（図１、図２、図１３、図１４）
【特許文献４】実用新案登録第３１３０６８８号公報（図１、図３）
【考案の概要】
【考案が解決しようとする課題】
【０００６】
ところで、バトンを吊り下げているワイヤーなどを昇降させる機構は、通常、モーター駆動又は手動による回転力を巻き取りドラムに伝達し、該巻き取りドラムが正逆回転することにより紐状体を巻き取ったり引き出したりすることで行っている。
【０００７】
この巻き取りドラムは、ドラムに螺旋溝を設け、巻き取りに伴いワイヤーをドラムの横方向に移動させて螺旋状に巻き取る方法があるが、そうするとバトンを吊り下げるワイヤーが巻き上げに伴い横移動しバトンも横移動してしまう。
【０００８】
一方、回転するドラムの両側にワイヤーの幅を隔てて側板を設けておき、この両側板内にワイヤーを順次重ねるようにして巻き取っていくものがあり（例えば、特許文献３の図１３、図１４等参照）、この方法であると、ワイヤーが左右でほぼ同じ位置でドラムに対して出し入れされるため、バトンの上下位置によってバトンが横移動しない利点があるが、ワイヤーが重なって巻き取られるため、ワイヤーの巻き取り当初と巻き取り終了時では、ワイヤーが垂れ下がる位置が前後方向に移動してしまう。これは、ワイヤーの代わりに布生地を使用する特許文献４のものも、厳密にはバトンが多少前後に移動する問題を依然持っている。
【０００９】
なお、前記の特許文献１のようにバトンを吊り下げるワイヤーを、固定された滑車（枝滑車８）から吊り下げるようにし、ワイヤーを別の部分で巻き上げるようにすると、バトンの昇降動に伴うバトンの前後及び左右への移動が生じない利点がある。
【００１０】
しかしながら、この場合、左右のワイヤーの引き上げをうまく同期させないと昇降動に伴いバトンが傾くおそれがあり、また、ワイヤーの経路が複雑となり故障時の修理が難しくなり、かつ機構自体が複雑で高コストの昇降装置となってしまう。
【００１１】
図５は、上記巻き取りドラム１１に対して、固定滑車１２を設けて、この固定滑車１２にて一旦バトンからのワイヤー１３を受けて、それから巻き取りドラム１１に渡して巻回する方式を示している。
【００１２】
しかし、固定滑車１２は同じ場所でワイヤー１３を掛けて巻き取りドラム１１へ送っているのに対し、巻き取りドラム１１は前述のようにワイヤー１３の巻き取り位置を変化させていくので、巻き取りドラム１１のワイヤー１３の巻き取り位置によっては、例えば、巻き始め位置のワイヤー１３（実線）と巻き終わり位置のワイヤー１３（点線）は、固定滑車１２から送られてくるワイヤー１３の角度が大きく傾斜し、この場合ワイヤー１３の角度が付きすぎて固定滑車１２から外れることがある。
【００１３】
これを防ぐためには、巻き取りドラム１１と固定滑車１２の距離を大きく取れば、ワイヤー１３にあまり角度が付かないが、そうすると昇降装置自体が大型化してしまう。
【００１４】
この考案の目的は、バトンの昇降装置における上記のような課題を解決し、装置を複雑化、大型化することなしに、バトンの昇降動に伴うバトンの移動が生じず、また、ワイヤーの外れ事故も無く、装置も小型化して低コストなバトンの昇降装置を提供することにある。
【課題を解決するための手段】
【００１５】
上記のような課題を解決するため、この考案は、長尺状のバトンとこのバトンを昇降動させる昇降機構とからなるバトンの昇降装置において、前記昇降機構はバトンの２箇所の接続部で一方端が接続された２本のワイヤーと、バトンを吊り下げた状態の２本の垂直方向に延びる２本のワイヤーをバトン長さ方向内側に方向変換する２つの滑車と、水平かつバトンの長さ方向に垂直な回動軸を有し、外周面に外周に沿った方向に設けられた２本の溝の内部に２本のワイヤーの他方端が接続されている駆動プーリーと、この駆動プーリーを正逆回転を自在とするモーターと、滑車、駆動プーリー及びモーターを固定して囲むケースとからなり、駆動プーリーの正回転、逆回転により、溝からの２本のワイヤーの引き出し、巻き戻しがなされるようにしたバトンの昇降装置である。
【考案の効果】
【００１６】
この考案によると、まずバトンを吊り下げる２本のワイヤーは、昇降装置のケース内に固定された２つの滑車から吊り下がっているので、バトンの昇降動、即ち、ワイヤーの引き出し、巻き戻しにおいても、バトンは前後、左右に移動することが無い。
【００１７】
また、ワイヤーの引き出しと巻き取りは、水平かつバトンの長さ方向に垂直な回動軸を有し、外周面に外周に沿った方向に設けられた２本の溝の内部に２本のワイヤーの他方端が接続されている駆動プーリーの正逆回転により行うので、ワイヤーの巻き始め時とワイヤーの巻き終わり時では、ワイヤーが駆動プーリーから引き出される位置の溝に対する深さが相違するが、その場合でも、ワイヤーの滑車への巻き付き角度が変化するだけで、滑車に対してワイヤーが横方向に角度が付くことが無く、ワイヤーが外れる事故が生じにくい。
【００１８】
更に、滑車に対してワイヤーが横方向に移動しないため、滑車と駆動プーリーの距離を短く取ることができ、バトンへの吊り下げ物の重量等を考慮して、バトンに影響の無い程度に両ワイヤー間の距離を短くすることができ、その結果、昇降装置のケース自体も小型化でき、装置のコストダウンに繋がる。
【図面の簡単な説明】
【００１９】
【図１】この考案のバトンの昇降装置の一例を示す一部透過斜視図である。
【図２】この考案のバトンの昇降装置の一例を示す斜視図である。
【図３】（Ａ）はこの考案のバトンの昇降装置の他の例を示す透過正面図であり、（Ｂ）は同透過左側面図である。
【図４】この考案のバトンの昇降装置の他の例を示す透過底面図である。
【図５】従来のバトンの昇降装置の一例の滑車とワイヤーの関係を示す解説図である。
【考案を実施するための形態】
【００２０】
以下、この考案の実施の形態を添付図面を参考にして説明する。
図１乃至図４に示すのは、この考案のバトンの昇降装置の実施形態であり、図１及び図２の斜視図に示すバトンの昇降装置の一例と、図３及び図４に示すバトンの昇降装置の他の例は、細部の配置が相違するが、同じ符号を付した部分は同様の機能を持った部分である。
【００２１】
バトン１は、水平状態を維持したまま最上昇位置から最下降位置までの間の任意の位置で固定できるようになっており、その材質は特に限定されないが、通常は剛性と重量のバランスから主としてスチールなどの金属製が選ばれており、形状は長尺円柱状、パイプ状となり、必要に応じてバトン１の長さ方向に沿って吊下物を固定するための長尺状の取付具（図示せず）が複数個設けられている。
【００２２】
バトン１の昇降動は、バトン１の左右２箇所に接続されたワイヤー２ａ、２ｂが昇降機構により昇降動することにより行われている。
【００２３】
ワイヤー２ａ、２ｂは、バトン１及びこのバトン１に取り付けられる各種吊下物（図示せず）の重量に耐えられるような金属製からなるが、バトン１を吊下物と共に吊り下げる程度の強度があれば材質は特に限定されず合成樹脂や繊維を用いたものであってもよい。
【００２４】
２本のワイヤー２ａ、２ｂを均等に上下させることによりバトン１を水平を保ったまま上下させる昇降装置は、天井等に適宜手段により固定され、ワイヤー２ａ、２ｂを垂直状態を保ったまま収納できる程度の長さを有し、下面に溝状の開口部９を有する横長略矩形状のケース８内に収納されている。
【００２５】
昇降機構の構成は、バトン１に取り付けられたワイヤー２ａ、２ｂの２箇所の取り付け位置の間隔と同じ間隔を有してケース８内の天井付近に取り付けられ、水平かつバトン１の長さ方向に直交する回動軸を有する一対の滑車３ａ、３ｂと、水平かつバトン１の長さ方向に垂直な回動軸を有する駆動プーリー４と、この駆動プーリー４を駆動するモーター６とからなる。
【００２６】
なお、モーター６自体は回転軸をバトン１の長さ方向としているが、隣接する周知の変換機構によりバトン１の長さ方向に垂直な方向に出力軸の方向を変換して駆動プーリー４を駆動している。
【００２７】
駆動プーリー４の外周面には、外周に沿った方向に２本の溝５ａ、５ｂが設けられている。この溝５ａ、５ｂの底部の位置にワイヤー２ａ、２ｂのバトン１と接続された側の反対側端部が接続される。
【００２８】
ワイヤー２ａの溝５ａに対する接続部と、ワイヤー２ｂの溝５ｂに対する接続部は、駆動プーリー４の中心の回転軸に対して対称位置となるようにし、また、ワイヤー２ａ、２ｂを溝５ａ、５ｂに接続した時点で、ワイヤー２ａ、２ｂが滑車３ａ、３ｂを経由して吊り下げているバトン１が水平状態となるように、例えばバトン１とワイヤー２ａ、２ｂの接続位置を調整しておく。
【００２９】
なお、溝５ａと溝５ｂは同じ深さの溝であり、その深さは、ワイヤー２ａ、２ｂを、バトン１を昇動させる分だけ巻き取ってもワイヤー２ａ、２ｂが溝５ａ、５ｂからはみ出さない程度の深さとしておく。
【００３０】
ワイヤー２ａ、２ｂを駆動プーリー４の溝５ａ、５ｂに接続した状態で、モーター６の駆動により、駆動プーリー４を図３（Ａ）正面図での反時計方向に回転させると、図示左側のワイヤー２ａは、駆動プーリー４に対して下側から溝５ａに巻き取られ、図示右側のワイヤー２ｂは駆動プーリー４に対して上側から溝５ｂに巻き取られていく。
【００３１】
この際、ワイヤー２ａ、２ｂは、それぞれ溝５ａ、５ｂ内に順次重なった状態で巻き取られてゆくが、その巻き取り半径は両者ほぼ同一に増えてゆくので、ワイヤー２ａ、２ｂは駆動プーリー４の回転に従って均等な長さに巻き取られてゆくので、バトン１は水平を保ったまま上昇する。
【００３２】
また、ワイヤー２ａの駆動プーリー４に対する巻き取り位置は、最初は駆動プーリー４の中心に近く、巻き取られるに従って駆動プーリー４の外周に近づいてゆくが、ワイヤー２ａは、滑車３ａに対して巻き付く角度が当初から若干増えるだけで問題無く巻き取られる。
【００３３】
一方、滑車３ａに対する溝５ａの位置は、巻き取りに従って左右にぶれることがなく、ワイヤー２ａも滑車３ａに対して図５で示した従来例のように左右に角度が付くことが無いので、ワイヤー２ａが滑車３ａから外れたりすることが無い。
【００３４】
一方、ワイヤー２ｂについてもワイヤー２ａと同様、駆動プーリー４に対する巻き取り位置は、最初は駆動プーリー４の中心に近く、巻き取られるに従って駆動プーリー４の外周に近づいてゆくが、ワイヤー２ｂは、滑車３ｂに対して巻き付く角度が当初から若干減少するだけで問題無く巻き取られる。
【００３５】
また、滑車３ｂに対するワイヤー２ｂの角度についても、上記滑車３ａとワイヤー２ａの関係と同様に変化することが無く、ワイヤー２ｂが滑車３ｂから外れたりすることが無い。
【００３６】
駆動プーリー４の回転によりバトン１が所定の最上昇位置まで上昇すると、リミットスイッチ７が駆動プーリー４の回転数をカウントしておいて所定回転数に達したと判断し、モーター６の駆動を停止し、バトン１の上昇が停止する。
【００３７】
次に、バトン１を下降させる場合、モーター６を上昇の時と逆方向に回転させ、駆動プーリー４を図３（Ａ）正面図での時計方向に回転させることで、ワイヤー２ａ、２ｂをそれぞれ駆動プーリー４の溝５ａ、５ｂから引き出して下降させる。所定の最下降位置やワイヤー２ａ、２ｂが溝５ａ、５ｂから引き出されて延びきった状態になれば、リミットスイッチ７が働いてモーター６の駆動を停止し、バトン１の下降が停止する。
【００３８】
なお、バトン１の上昇時、下降時のいずれでも、任意の位置でバトン１を停止できるようにモーター６の制御装置（図示せず）により昇降動は制御されるようになっている。
【００３９】
以上のように、上記実施形態の昇降装置では、ワイヤー２ａ、２ｂを固定位置で巻き上げる滑車３ａ、２ｂとワイヤー２ａ、２ｂを巻き取る駆動プーリー４の間隔が狭くても、ワイヤー２ａ、２ｂが滑車３ａ、３ｂから外れることが無いので、バトン１の昇降動に支障が無い程度にバトン１へ接続するワイヤー２ａ、２ｂの間隔（滑車３ａ、３ｂの間隔）を狭めることができ、昇降装置全体をコンパクトにでき、コストダウンに繋がる。
【００４０】
この考案のバトンの昇降装置の実施形態は、上記説明したようなものであるが、この考案のバトンの昇降装置は、この実施形態のものに限定されるものではなく、この考案の目的の範囲内で適宜変更して実施できる。
【符号の説明】
【００４１】
１  バトン
２（２ａ、２ｂ）  ワイヤー
３（３ａ、３ｂ）  滑車
４  駆動プーリー
５（５ａ、５ｂ）  溝
６  モーター
７  リミットスイッチ
８  ケース
９  開口部
【図１】
0003224328.tif 000003
【図２】
0003224328.tif 000004
【図３】
0003224328.tif 000005
【図４】
0003224328.tif 000006
【図５】
0003224328.tif 000007